【手続補正書】
【提出日】平成19年7月20日(2007.7.20)
【手続補正１】
【補正対象書類名】明細書
【補正対象項目名】特許請求の範囲
【補正方法】変更
【補正の内容】
【特許請求の範囲】
【請求項１】  スクロール式機械であって、
第１の端板と該第１の端板から突出する第１の螺旋翼を有する第１のスクロール部材、
第２の端板と該第２の端板から突出する第２の螺旋翼を有し、該第２の螺旋翼を上記第１の螺旋翼に対し噛合わせてある第２のスクロール部材、
第１及び第２のスクロール部材を互いに対し相対的に旋回させて上記第１及び第２の螺旋翼に、吸入圧領域と吐出圧領域との間で次第に容積を変更する可動の流体ポケットを形成させる駆動部材、
を備えており、上記第１及び第２のスクロール部材が、両スクロール部材のシール面が互いに密封係合して上記流体ポケットが密封される第１の関係位置と両スクロール部材のシール面が互いに分離して上記流体ポケットの漏れ径路が形成される第２の関係位置とに移動可能であり、さらに、
前記吐出圧領域内に配置され且つ第１のスクロール部材に接続してある流体作動ピストンであって、第１のスク
ロール部材に対し力を加えて該第１のスクロール部材を、スクロール式機械が実質的に全容量で稼働する上記第１の関係位置とスクロール式機械が実質的に零の容量で稼働する上記第２の関係位置との間で移動させる流体作動ピストン、
を備えたスクロール式機械。
【請求項２】  前記駆動部材が、第１のスクロール部材が前記第２の関係位置にあるときにも駆動を継続するものである請求項１のスクロール式機械。
【請求項３】  圧縮流体を吐出させる吐出流路内に、圧縮流体の逆流を阻止する逆止弁を設けてある請求項２のスクロール式機械。
【請求項４】  前記流体作動ピストンが、スクロール式機械の容量を調整するために時刻パルス的に作動されるものである請求項１のスクロール式機械。
【請求項５】  前記流体作動ピストンに対し前記力を加えるように作用する流体圧力室を備えた請求項１のスクロール式機械。
【請求項６】  前記力が、スクロール式機械の軸線方向に作用するものである請求項５のスクロール式機械。
【請求項７】  スクロール式機械から前記流体圧力室に対し加圧流体を供給する第１の通路を備えている請求項６のスクロール式機械。
【請求項８】  前記第１の通路を通しての流体流れを制御する弁を備えており、この弁が前記流体圧力室から加圧流体を排出可能であって、該弁により第１及び第２のスクロール部材を前記第１及び第２の関係位置間で移動させ得る請求項７のスクロール式機械。
【請求項９】  前記流体圧力室から加圧流体を排出するための第２の通路を設けてある請求項７のスクロール式機械。
【請求項１０】  スクロール式機械が外殻を有し、前記流体作動ピストンを、該外殻に固定した結合金具に摺動可能に支承させてある請求項１のスクロール式機械。
【請求項１１】  前記流体作動ピストンと前記結合金具とによって圧力室を区画形成してある請求項１０のスクロール式機械。
【請求項１２】  前記圧力室を、前記外殻によって形成された吸入室と連通させてある請求項１１のスクロール式機械。
【請求項１３】  前記圧力室と前記吸入室との間に弁を設けてある請求項１２のスクロール式機械。
【請求項１４】  前記圧力室を、前記外殻によって形成された吐出室と連通させてある請求項１１のスクロール式機械。
【請求項１５】  前記圧力室と前記吐出室との間に弁を設けてある請求項１４のスクロール式機械。
【請求項１６】  前記圧力室を、前記外殻内に形成された吸入室及び吐出室に対しそれぞれ連通させてある請求項１１のスクロール式機械。
【請求項１７】  前記圧力室と前記した吸入室及び吐出室との間に単一の弁を設けてある請求項１６のスクロール式機械。
【請求項１８】  前記弁が、ソレノイド弁である請求項８，１３，１５又は１７のスクロール式機械。
【請求項１９】  前記ソレノイド弁が、パルス幅調整モードで作動されるものである請求項１８のスクロール式機械。
【請求項２０】  前記弁に接続して制御モジュールを設けてある請求項８，１３，１５又は１７のスクロール式機械。
【請求項２１】  前記制御モジュールに接続して少なくとも１個のセンサーを設けてあり、制御モジュールが、該センサーからの信号に応じて前記弁を制御するものである請求項２０のスクロール式機械。
【請求項２２】  スクロール式機械であって、
外殻、
第１の端板と該第１の端板から突出する第１の螺旋翼を有する第１のスクロール部材、
第２の端板と該第２の端板から突出する第２の螺旋翼を有し、該第２の螺旋翼を上記第１の螺旋翼に対し噛合わせてある第２のスクロール部材、
第１及び第２のスクロール部材を互いに対し相対的に旋回させて上記第１及び第２の螺旋翼に、吸入圧領域と吐出圧領域との間で次第に容積を変更する可動の流体ポケットを形成させる駆動部材、
を備えており、上記第１及び第２のスクロール部材が、両スクロール部材のシール面が互いに密封係合して上記流体ポケットが密封される第１の関係位置と両スクロール部材のシール面が互いに分離して上記流体ポケットの漏れ径路が形成される第２の関係位置とに移動可能であり、さらに、
上記外殻によって形成された穴に摺動可能に支承され第１のスクロール部材に接続してある流体作動ピストンであって、第１のスクロール部材に対し力を加えて該第１のスクロール部材を、スクロール式機械が実質的に全容量で稼働する上記第１の関係位置とスクロール式機械が実質的に零の容量で稼働する上記第２の関係位置との間で移動させる流体作動ピストン、
上記流体作動ピストンと上記穴との間に配置されたシール手段であって、放射方向での融通性を有するシール手段、
を備えたスクロール式機械。
【請求項２３】  前記外殻と前記流体作動ピストンとの間に環状の挿入物を配置してあり、前記シール手段を流体作動ピストンと該挿入物との間に設けてある請求項２２のスクロール式機械。
【請求項２４】  前記シール手段が、リップシールを含むものである請求項２２のスクロール式機械。
【請求項２５】  前記シール手段が、浮動リテーナを含むものである請求項２２又は２４のスクロール式機械。
【請求項２６】  スクロール式機械であって、
第１の端板と該第１の端板から突出する第１の螺旋翼を有する第１のスクロール部材、
第２の端板と該第２の端板から突出する第２の螺旋翼を有し、該第２の螺旋翼を上記第１の螺旋翼に対し噛合わせてある第２のスクロール部材、
第１及び第２のスクロール部材を互いに対し相対的に旋回させて上記第１及び第２の螺旋翼に、吸入圧領域と吐出圧領域との間で次第に容積を変更する可動の流体ポケットを形成させる駆動部材、
上記第１及び第２のスクロール部材を、両スクロール部材のシール面が互いに密封係合して上記流体ポケットが密封される第１の関係位置と両スクロール部材のシール面が互いに分離して上記流体ポケットの漏れ径路が形成される第２の関係位置とに移動させる移動機構、
第１及び第２のスクロール部材のうちの一方のスクロール部材に配設され、上記流体ポケットのうちの少なくとも１つの流体ポケット中に流体を注入する流体注入装置、
を備えたスクロール式機械。
【請求項２７】  前記移動機構が、パルス幅調整モードで作動されるものである請求項２６のスクロール式機械。
【請求項２８】  前記移動機構が、ソレノイド弁を含むものである請求項２６のスクロール式機械。
【請求項２９】  前記ソレノイド弁が、パルス幅調整モードで作動されるものである請求項２８のスクロール式機械。
【請求項３０】  前記移動機構が、第１のスクロール部材に接続された流体作動ピストンであって第１のスクロール部材に対し力を加えて該第１のピストンを、前記した第１の関係位置と第２の関係位置との間で移動させる流体作動ピストンを備えている備えている請求項２６のスクロール式機械。
【請求項３１】  前記駆動部材が、前記流体作動ピストンが前記第２の関係位置にあるときにも作動を継続するものである請求項３０のスクロール式機械。
【請求項３２】  前記流体作動ピストンが、スクロール式機械の容量を調整するために時刻パルス的に作動されるものである請求項３０のスクロール式機械。
【請求項３３】  前記流体注入装置が、前記流体ポケットに注入される流体の流れを制御するためのソレノイド弁を含むものである請求項２６から３２までの何れか一項に記載のスクロール式機械。
【請求項３４】  前記ソレノイド弁が、パルス幅調整モードで作動されるものである請求項３３のスクロール式機械。
【請求項３５】  前記流体ポケットに注入される流体が蒸気である請求項２６から３４までの何れか一項に記載のスクロール式機械。
【請求項３６】  スクロール式機械であって、
第１の端板と該第１の端板から突出する第１の螺旋翼を有する第１のスクロール部材、
第２の端板と該第２の端板から突出する第２の螺旋翼を有し、該第２の螺旋翼を上記第１の螺旋翼に対し噛合わせてある第２のスクロール部材、
第１及び第２のスクロール部材を互いに対し相対的に旋回させて上記第１及び第２の螺旋翼に、吸入圧領域と吐出圧領域との間で次第に容積を変更する可動の流体ポケットを形成させる駆動部材、
第１及び第２のスクロール部材のうちの一方のスクロール部材に、上記流体ポケットのうちの少なくとも１つの流体ポケット中に蒸気を注入するために配設してある蒸気注入装置であって、流体ポケット中に注入される蒸気の量を制御するための弁を含む蒸気注入装置、
を備えたスクロール式機械。
【請求項３７】  前記弁が、ソレノイド弁である請求項３６のスクロール式機械。
【請求項３８】  前記ソレノイド弁が、パルス幅調整モードで作動されるものである請求項３７のスクロール式機械。